(57)【要約】【課題】容器基部を継続使用することが可能なレフィルタイプの繰出し容器を提供する。【解決手段】円筒状の外筒体１１及び外筒体１１の内側に設けられた支持体１２を備えた容器基部２と、外筒体１１と支持体１２との間に配置された円筒状の収納筒体２１、収納筒体２１の内側に設けられて支持体１２に支持される中皿２２、中皿２２を収納筒体２１の内周面に全周に亘って連結する破断可能な薄肉部２３、収納筒体２１の開口端に取り外し可能に装着されたシール体２４及び中皿２２とシール体２４との間において収納筒体２１に気密に収納された固形内容物２５、を備えた内容物収納部３と、容器基部２と内容物収納部３とを収納筒体２１の軸線を中心としてねじ結合させるねじ結合部と、を有し、内容物収納部３が容器基部２に対して着脱自在であることを特徴とする繰出し容器１。【選択図】図１
2020178830.tif 000002
【特許請求の範囲】
【請求項１】
円筒状の外筒体及び前記外筒体の内側に設けられた支持体を備えた容器基部と、
前記外筒体と前記支持体との間に配置された円筒状の収納筒体、前記収納筒体の内側に設けられて前記支持体に支持される中皿、前記中皿を前記収納筒体の内周面に全周に亘って連結する破断可能な薄肉部、前記収納筒体の開口端に取り外し可能に装着されたシール体及び前記中皿と前記シール体との間において前記収納筒体に気密に収納された固形内容物、を備えた内容物収納部と、
前記容器基部と前記内容物収納部とを前記収納筒体の軸線を中心としてねじ結合させるねじ結合部と、を有し、
前記内容物収納部が前記容器基部に対して着脱自在であることを特徴とする繰出し容器。
【請求項２】
前記ねじ結合部が、
前記外筒体の内周面に設けられた雌ねじと、
前記収納筒体の外周面に設けられ、前記雌ねじにねじ結合する雄ねじと、を備える請求項１に記載の繰出し容器。
【請求項３】
前記収納筒体の内周面に、前記中皿に対して前記固形内容物とは反対側において前記内周面から径方向内側に向けて突出する係止部が設けられている、請求項１または２に記載の繰出し容器。
【請求項４】
前記収納筒体の内周面に、それぞれ板状に形成されて前記中皿の側に向けて傾斜した姿勢で前記支持体の外周面に当接する複数の前記係止部が周方向に等間隔に並べて設けられている、請求項３に記載の繰出し容器。
【請求項５】
前記中皿が、前記支持体にアンダーカット係合により取り外し可能に係止されている、請求項１〜４の何れか１項に記載の繰出し容器。
【請求項６】
前記中皿と前記支持体との間に、前記中皿の前記支持体に対する、前記内容物収納部を前記容器基部にねじ込む方向への回転を阻止し、当該ねじ込む方向とは反対方向への回転を許容するラチェット機構が設けられている、請求項１〜５の何れか１項に記載の繰出し容器。
【請求項７】
前記容器基部に取り外し可能に装着されて前記内容物収納部を覆うキャップを備えている、請求項１〜６の何れか１項に記載の繰出し容器。
【発明の詳細な説明】
【技術分野】
【０００１】
本発明は、固形内容物を収納する繰出し容器に関する。
【背景技術】
【０００２】
従来、例えば口紅、リップクリーム、スティックアイシャドー等の化粧料、薬剤または糊などの、塗布対象物に塗布可能な固形内容物を収納する容器として、円筒状の外筒部と外筒部の内側に設けられて固形内容物を保持する内筒部とを備えた容器本体と、外筒部と内筒部との間に配置されて外筒部または内筒部に対して螺合するとともにその内部に固形内容物を収納する筒体と、筒体を覆うように容器本体に着脱可能に装着されるキャップと、を備えた繰出し容器が知られている（例えば特許文献１参照）。
【０００３】
このような繰出し容器によれば、使用の際に、筒体を容器本体に対して相対回転させるだけの簡単な操作で固形内容物を筒体の先端から外部に繰り出して固形内容物を塗布対象物に塗布可能な状態にすることができるとともに、使用後には、筒体を容器本体に対して反対方向に相対回転させるだけの簡単な操作で固形内容物を筒体の内部に収納することができる。
【先行技術文献】
【特許文献】
【０００４】
【特許文献１】特開２０１８−８９００２号公報
【発明の概要】
【発明が解決しようとする課題】
【０００５】
しかし、上記従来の繰出し容器は、使用後に使い捨てされるものであり、この点で、より資源の有効活用ができる繰出し容器が求められていた。
【０００６】
本発明は、このような問題を解決するために開発されたものであり、その目的は、容器基部を継続使用することが可能なレフィルタイプの繰出し容器を提供することにある。
【課題を解決するための手段】
【０００７】
本発明の繰出し容器は、円筒状の外筒体及び前記外筒体の内側に設けられた支持体を備えた容器基部と、前記外筒体と前記支持体との間に配置された円筒状の収納筒体、前記収納筒体の内側に設けられて前記支持体に支持される中皿、前記中皿を前記収納筒体の内周面に全周に亘って連結する破断可能な薄肉部、前記収納筒体の開口端に取り外し可能に装着されたシール体及び前記中皿と前記シール体との間において前記収納筒体に気密に収納された固形内容物、を備えた内容物収納部と、前記容器基部と前記内容物収納部とを前記収納筒体の軸線を中心としてねじ結合させるねじ結合部と、を有し、前記内容物収納部が前記容器基部に対して着脱自在であることを特徴とする。
【０００８】
本発明の繰出し容器は、上記構成において、前記ねじ結合部が、前記外筒体の内周面に設けられた雌ねじと、前記収納筒体の外周面に設けられ、前記雌ねじにねじ結合する雄ねじと、を備えるのが好ましい。
【０００９】
本発明の繰出し容器は、上記構成において、前記収納筒体の内周面に、前記中皿に対して前記固形内容物とは反対側において前記内周面から径方向内側に向けて突出する係止部が設けられているのが好ましい。
【００１０】
本発明の繰出し容器は、上記構成において、前記収納筒体の内周面に、それぞれ板状に形成されて前記中皿の側に向けて傾斜した姿勢で前記支持体の外周面に当接する複数の前記係止部が周方向に等間隔に並べて設けられているのが好ましい。
【００１１】
本発明の繰出し容器は、上記構成において、前記中皿が、前記支持体にアンダーカット係合により取り外し可能に係止されているのが好ましい。
【００１２】
本発明の繰出し容器は、上記構成において、前記中皿と前記支持体との間に、前記中皿の前記支持体に対する、前記内容物収納部を前記容器基部にねじ込む方向への回転を阻止し、当該ねじ込む方向とは反対方向への回転を許容するラチェット機構が設けられているのが好ましい。
【００１３】
本発明の繰出し容器は、上記構成において、前記容器基部に取り外し可能に装着されて前記内容物収納部を覆うキャップを備えているのが好ましい。
【発明の効果】
【００１４】
本発明によれば、容器基部を継続使用することが可能なレフィルタイプの繰出し容器を提供することができる。
【図面の簡単な説明】
【００１５】
【図１】本発明の一実施の形態に係る繰出し容器の断面図である。
【図２】図１に示す容器基部の断面図である。
【図３】図２に示す容器基部の、（ａ）は平面図、（ｂ）は底面図である。
【図４】図１に示す内容物収納部の断面図である。
【図５】図４に示す内容物収納部の底面図である。
【図６】図１におけるＡ−Ａ線に沿う断面図である。
【図７】治具を用いて内容物収納部を容器基部に組み付けた状態を示す断面図である。
【図８】キャップとシール体を取り外した状態の繰出し容器の断面図である。
【図９】固形内容物を収納筒体から外部に繰出した状態の繰出し容器の断面図である。
【図１０】固形内容物を全て使い切った状態の繰出し容器の断面図である。
【図１１】収納筒部を外筒体から取り外した状態を示す断面図である。
【図１２】収納筒部とともに中皿を支持体から取り外した状態を示す断面図である。
【図１３】容器基部に新たな内容物収納部を取り付ける様子を示す断面図である。
【発明を実施するための形態】
【００１６】
以下、図面を参照しつつ、本発明の一実施の形態に係る繰出し容器について詳細に例示説明する。
【００１７】
図１に示すように、本発明の一実施の形態に係る繰出し容器１は、容器基部２、内容物収納部３及びキャップ４を備えている。本実施の形態において、容器基部２、内容物収納部３及びキャップ４の中心軸Ｃは一致している。以下では、中心軸Ｃに沿う軸線方向において、容器基部２に対してキャップ４が位置する側（図１の上側）を繰出し容器１の先端側とし、逆側を繰出し容器１の基端側とする。
【００１８】
図１〜図３に示すように、容器基部２は、外筒体１１と、外筒体１１の内側に配置された支持体１２とを備えている。外筒体１１と支持体１２は、連結底壁部１３により連結されている。容器基部２は、合成樹脂材料の射出成形により、外筒体１１、支持体１２及び連結底壁部１３が一体に形成された構成となっている。
【００１９】
外筒体１１は円筒状に形成されており、その基端側の端部において略円板状の連結底壁部１３の外周縁に一体に連なっている。外筒体１１の内周面には、ねじ結合部を構成する雌ねじ１１ａが一体に設けられている。本実施の形態では、雌ねじ１１ａは３条ねじとなっているが、便宜上、１つの雌ねじ１１ａにのみ符号を付してある。
【００２０】
支持体１２は、外筒体１１よりも小径の円筒状の大径部１２ａと、大径部１２ａよりも小径であるとともに大径部１２ａの先端側に段差部１２ｂを介して一体に連なる小径部１２ｃとを有している。支持体１２は、大径部１２ａの基端側の端部において連結底壁部１３の内周縁に一体に連なっている。なお、支持体１２は、外筒体１１に対して中心軸Ｃを中心として同軸に配置されている。
【００２１】
支持体１２の先端側を向く上面には、３本の係止爪部１２ｄが中心軸Ｃを中心として周方向に等間隔に並べて設けられている。これらの係止爪部１２ｄは、それぞれ径方向外側に向けて突出する爪部分を先端に有する形状となっている。係止爪部１２ｄも合成樹脂材料の射出成形により支持体１２と一体に形成されている。
【００２２】
連結底壁部１３の外筒体１１と支持体１２との間の部分には、中心軸Ｃを中心とした円弧状の切欠き孔１４が中心軸Ｃを挟んだ点対称の位置に設けられている。連結底壁部１３の基端側を向く底面１３ａは平面となっている。繰出し容器１は、連結底壁部１３の底面１３ａを配置面に接地させることにより、図１に示す起立姿勢で配置面に安定して置くことができるようになっている。
【００２３】
図１、図４及び図５に示すように、内容物収納部３は、収納筒体２１、中皿２２、薄肉部２３、シール体２４及び固形内容物２５を備えている。収納筒体２１、中皿２２及び薄肉部２３は、合成樹脂材料の射出成形により一体に形成されている。
【００２４】
収納筒体２１は円筒状であり、図１に示すように、外筒体１１と支持体１２の間に配置されている。収納筒体２１の基端側における外周面には、ねじ結合部を構成する雄ねじ２１ａが一体に設けられている。本実施の形態では、雄ねじ２１ａは３条ねじとなっているが、便宜上、１つの雄ねじ２１ａにのみ符号を付してある。
【００２５】
雄ねじ２１ａは、外筒体１１の内周面に設けられた雌ねじ１１ａにねじ結合している。すなわち、容器基部２と内容物収納部３は、ねじ結合部を構成する雄ねじ２１ａと雌ねじ１１ａにおいて、収納筒体２１の中心軸Ｃを中心として互いにねじ結合している。したがって、中心軸Ｃを中心として容器基部２に対して収納筒体２１をねじ込み方向に回転させることで、収納筒体２１を外筒体１１の内部に向けて基端側に移動させることができる。また、中心軸Ｃを中心として容器基部２に対して収納筒体２１をねじ込み方向とは反対側に回転させることで、収納筒体２１を外筒体１１の外部に向けて先端側に移動させることができる。
【００２６】
このように、容器基部２に対して収納筒体２１を相対回転させることにより、収納筒体２１を外筒体１１に対して軸線方向に進退移動させることができる。また、容器基部２に対して収納筒体２１をねじ込み方向とは反対側に回転操作することで、容器基部２から内容物収納部３を取り外すことができる。さらに、容器基部２と分離された状態の内容物収納部３の収納筒体２１の雄ねじ２１ａを、容器基部２の雌ねじ１１ａにねじ結合させることで、当該内容物収納部３を容器基部２に装着することもできる。このように、内容物収納部３は容器基部２に対して着脱自在となっている。
【００２７】
なお、本実施の形態では、雌ねじ１１ａ及び雄ねじ２１ａを、それぞれ３条ねじに構成しているが、１条ねじ、２条ねじ、または、４条以上のねじに構成してもよい。
【００２８】
中皿２２は、収納筒体２１の内側に設けられ、収納筒体２１の内部空間を先端側の部分と基端側の部分とに２分割している。中皿２２は、支持体１２の先端側の部分に支持され、これにより容器基部２に対する基端側へ向けた相対移動が規制されている。
【００２９】
本実施の形態では、中皿２２の基端側を向く下面には円筒状突起２２ａが一体に設けられている。円筒状突起２２ａは、その内周面に径方向内側に向けて突出する爪部分を有する形状となっている。図１に示すように、円筒状突起２２ａが係止爪部１２ｄの外側に嵌合し、円筒状突起２２ａの爪部分が係止爪部１２ｄの爪部分にアンダーカット係合することにより、中皿２２は支持体１２に取り外し可能に係止されている。なお、円筒状突起２２ａも合成樹脂材料の射出成形により中皿２２と一体に形成されている。
【００３０】
本実施の形態では、中皿２２と支持体１２との間にラチェット機構２６が設けられている。図６に示すように、ラチェット機構２６は、複数の歯止め片２６ａと複数の歯部２６ｂとを備えて構成されている。図３に示すように、支持体１２の小径部１２ｃの先端にはラチェット筒部１２ｅが設けられ、複数の歯止め片２６ａは、それぞれラチェット筒部１２ｅの内周面に、当該内周面から径方向内側に向けて斜めに突出するとともに互いに周方向に間隔を空けて並べて一体に設けられている。一方、図５に示すように、複数の歯部２６ｂは、中皿の円筒状突起２２ａの外周面に、当該外周面から径方向外側に向けて突出するとともに互いに周方向に間隔を空けて並べて一体に設けられている。複数の歯止め片２６ａと複数の歯部２６ｂは、それぞれ回転方向の一方側に傾斜面、他方側に径方向に平行な面を有し、互いの傾斜面同士、平行な面同士が回転方向に対向する姿勢で配置されている。このような構成のラチェット機構２６は、中皿２２の支持体１２に対する、内容物収納部３を容器基部２にねじ込む方向への回転を阻止し、当該ねじ込む方向とは反対方向への回転を許容するように作動する。
【００３１】
なお、ラチェット筒部１２ｅ及び複数の歯止め片２６ａは、合成樹脂材料の射出成形により支持体１２と一体に形成され、複数の歯部２６ｂは、合成樹脂材料の射出成形により中皿２２と一体に形成されている。
【００３２】
図４、図５に示すように、薄肉部２３は、収納筒体２１の内周面と中皿２２の外周縁との間に全周に亘って設けられ、中皿２２の外周縁を収納筒体２１の内周面に全周に亘って一体に連結している。薄肉部２３が設けられることにより、収納筒体２１の内周面と中皿２２の外周縁との間は気密に密封されている。また、薄肉部２３は、中皿２２よりも薄い膜状に形成されているので、中皿２２が支持体１２に支持された状態で収納筒体２１が基端側へ移動することにより破断するようになっている。薄肉部２３が破断すると、中皿２２が収納筒体２１から分離され、収納筒体２１は中皿２２とは別体となって中皿２２に対して軸方向に相対移動することができるようになる。
【００３３】
収納筒体２１の基端側における内周面には、当該内周面から径方向内側に向けて突出する係合突起２１ｂが設けられている。一方、支持体１２の段差部１２ｂの外周面には、当該外周面から径方向外側に向けて突出する係止突起１２ｆが一体に設けられており、係合突起２１ｂは係止突起１２ｆの上側に係合している。係合突起２１ｂは、中心軸Ｃを中心として容器基部２に対して内容物収納部３をねじ込み方向に回転させて収納筒体２１を外筒体１１の内部に向けて基端側に移動させたときに、係止突起１２ｆを乗り越えることができる。なお、本実施の形態では、係合突起２１ｂは周方向に複数の部分に分断した構成となっているが、円環状の構成とすることもできる。
【００３４】
シール体２４は、例えば合成樹脂材料やアルミニウム合金等により、収納筒体２１の外径に対応した大きさの円形で薄いフィルム状ないしシート状に形成されている。シール体２４は、収納筒体２１の基端側の端面に接着や溶着等の手段により取り外し可能に装着されて収納筒体２１の先端側の端部すなわち開口端を気密に密封している。シール体２４は、使用時に、収納筒体２１から容易に取り外すことができる。符号２４ａは、シール体２４を収納筒体２１から取り外す際に使用者が摘むことができる摘み部である。
【００３５】
固形内容物２５は、中皿２２とシール体２４との間において収納筒体２１の内部に気密に収納されている。固形内容物２５は、収納筒体２１の内面形状に対応した円柱状となっている。固形内容物２５としては、例えば口紅、リップクリーム、スティックアイシャドー等の化粧料、薬剤または糊など、塗布対象物に塗布可能な種々のものを採用することができる。本実施の形態では、固形内容物２５は、香りを有するリップクリームを円柱状に形成したものである。
【００３６】
中皿２２の先端側を向く上面には、一対の保持突起２２ｂが設けられ、固形内容物２５はこれらの保持突起２２ｂが埋設されることで中皿２２に固定保持されている。これにより、固形内容物２５は、収納筒体２１に対して中皿２２とともに軸方向に相対移動することができる。
【００３７】
収納筒体２１の内周面には、中皿２２に対して固形内容物２５とは反対側において当該内周面から径方向内側に向けて突出する係止部２１ｃが設けられている。本実施の形態では、収納筒体２１の内周面に、複数（６つ）の係止部２１ｃが周方向に等間隔に並べて設けられている。複数の係止部２１ｃは、それぞれ板状に形成され、収納筒体２１の内周面に連なる根元部分よりも先端部分が中皿２２の近くに配置されるように中皿２２の側（先端側）に向けて傾斜するとともに、その先端部分において支持体１２の小径部１２ｃの外周面に弾性的に当接している。これらの係止部２１ｃは、収納筒体２１の内周面との連結部分を中心として軸方向に向けて揺動自在であるとともに、それぞれ小径部１２ｃの外周面に対して摺動可能である。
【００３８】
それぞれの係止部２１ｃは、薄肉部２３が破断して中皿２２が収納筒体２１から分離された後、中皿２２に対して収納筒体２１が先端側に向けて移動したときに、中皿２２の基端側を向く下面に係合する。
【００３９】
収納筒体２１の内周面には、それぞれの係止部２１ｃから基端側に向けて中心軸Ｃに平行に延びる複数本の溝部２１ｄが設けられている。上記した複数の板状の係止部２１ｃは、例えば、収納筒体２１を合成樹脂材料の射出成形により形成する際に、複数本の溝部２１ｄの先端側の部分に板状部分を形成し、当該板状部分を中皿２２の側に向けて折り返すことで構成することができる。
【００４０】
図１に示すように、キャップ４は、外筒体１１の外径に対応した外径の円筒状に形成された側壁部３１と、側壁部３１の先端側部分を閉塞する頂壁部３２とを有する有頂円筒状となっている。キャップ４は、外筒体１１の先端側の領域における外周面に側壁部３１の基端側部分における内周面を外側から嵌合させることにより、容器基部２に装着されて内容物収納部３を覆っている。
【００４１】
側壁部３１の内周面には複数の凹部３１ａが設けられ、これらの凹部が外筒体１１の外周面に設けられた凸部１１ｂにアンダーカット係合している。これにより、キャップ４は、容器基部２に装着された状態に保持されるとともに容器基部２から容易に取り外し可能となっている。なお、側壁部３１の内周面に凸部を設け、当該凸部を外筒体１１の外周面に設けた凹部にアンダーカット係合させる構成とすることもできる。また、凹部３１ａと凸部１１ｂの形状や個数は種々変更可能である。
【００４２】
キャップ４の形状は、容器基部２に取り外し可能に装着されて内容物収納部３を覆うことができるものであれば、種々変更可能である。
【００４３】
上記構成の繰出し容器１は、それぞれ別工程で製造された容器基部２と内容物収納部３とを、雌ねじ１１ａと雄ねじ２１ａとにおいて互いにねじ結合させて一体化させた後、キャップ４を装着することで製造することができる。容器基部２に内容物収納部３を装着する作業は、例えば図７に示すような治具４０を用いて行なうことができる。
【００４４】
中皿２２は収納筒体２１の内周面に薄肉部２３を介して連結されるとともに支持体１２に支持される構成であるので、容器基部２と内容物収納部３とを一体化させる際に、容器基部２に対して内容物収納部３が過度にねじ込まれると、薄肉部２３が破断するとともに固形内容物２５が収納筒体２１から押し出されてシール体２４が収納筒体２１から剥がれ、固形内容物２５の密封性が保たれなくなるおそれがある。これに対し、上記治具４０を用いて容器基部２に内容物収納部３を装着することで、容器基部２に対して内容物収納部３が過度にねじ込まれることを防止しつつ、容器基部２に対して内容物収納部３を適正な位置にまでねじ込むことができる。
【００４５】
治具４０は、容器基部２を配置可能な平坦な上面を有する基台４１を備えている。基台４１の上面には、上方に向けて突出する一対の円弧状断面のストッパー片４２が設けられている。また、基台４１の上面には、一対のストッパー片４２の中心に位置して円柱状の支持柱部４３が設けられている。
【００４６】
容器基部２に内容物収納部３を装着する際には、まず、容器基部２を基台４１の上面に配置する。このとき、容器基部２の連結底壁部１３の底面１３ａを基台４１の上面に当接させ、一対のストッパー片４２を連結底壁部１３に設けられた切欠き孔１４に挿通させるとともに支持柱部４３を支持体１２の小径部１２ｃの内側に嵌合させる。
【００４７】
容器基部２を基台４１の上面に配置した状態において、切欠き孔１４に挿通された一対のストッパー片４２は、それぞれ外筒体１１と支持体１２の大径部１２ａとの間に配置される。このとき、ストッパー片４２の上端は、容器基部２に対して内容物収納部３が適正な位置にまでねじ込まれたときに収納筒体２１の基端側の端面に当接する位置にある。また、支持柱部４３が支持体１２の小径部１２ｃの内側に嵌合されることで、容器基部２は基台４１に支持されている。
【００４８】
次に、上記のように容器基部２を治具４０の上面に配置した状態で、雌ねじ１１ａに雄ねじ２１ａをねじ結合させて内容物収納部３を容器基部２にねじ込む。内容物収納部３が容器基部２に対して適正位置にまでねじ込まれると、内容物収納部３の基端側の端面がストッパー片４２に当接し、それ以上のねじ込みが阻止される。このように、ねじ込みが阻止されるまで内容物収納部３を容器基部２に対しねじ込むことで、内容物収納部３を容器基部２に対して適正位置にまでねじ込むことができ、装着作業が完了する。
【００４９】
このように、治具４０を用いて容器基部２に内容物収納部３を装着することで、中皿２２を収納筒体２１に連ねる薄肉部２３を破断させることなく、内容物収納部３を容器基部２に対して適正なねじ込み位置にまでねじ込んで当該容器基部２に装着することができる。また、切欠き孔１４及びストッパー片４２は円弧状に形成され、これにより容器基部２は基台４１に対して回り止めされているので、容器基部２に対する内容物収納部３のねじ込み作業を容易に行うことができる。よって、治具４０を用いることで、容器基部２に内容物収納部３を装着する作業を容易かつ確実に行うことが可能となる。
【００５０】
次に、上記構成を有する繰出し容器１の使用方法について説明する。
【００５１】
繰出し容器１を使用する際には、図８に示すように、容器基部２からキャップ４を取り外して内容物収納部３を露出させるとともに、内容物収納部３からシール体２４を取り外して収納筒体２１を開封する。
【００５２】
次に、図９に示すように、容器基部２に対して収納筒体２１をねじ込み方向に回転させ、収納筒体２１を容器基部２に対して基端側に向けて軸方向に相対移動させる。このとき、収納筒体２１に設けられた係合突起２１ｂが支持体１２に設けられた係止突起１２ｆを乗り越えるように、容器基部２に対して収納筒体２１をねじ込み方向に強く回転させる。係合突起２１ｂが係止突起１２ｆを乗り越える際の抵抗により、収納筒体２１が容器基部２に対して不意に回転して薄肉部２３が破断されてしまうことを防止することができる。
【００５３】
容器基部２に対して収納筒体２１がねじ込み方向に相対回転しながら基端側に軸方向に相対移動すると、このとき、中皿２２は支持体１２により支持されて容器基部２に対する基端側に向けた軸方向への相対移動が規制されているので、収納筒体２１は中皿２２に対しても基端側へ向けて軸方向に相対移動することになる。これにより、収納筒体２１と中皿２２とを連結する薄肉部２３が軸方向に引き伸ばされて破断し、中皿２２は収納筒体２１から分離する。このように、容器基部２に対して収納筒体２１をねじ込み方向に回転させることで、中皿２２を収納筒体２１から分離させることができる。
【００５４】
本実施の形態では、中皿２２と支持体１２との間にラチェット機構２６を設け、中皿２２の支持体１２に対するねじ込み方向へ回転を阻止するようにしているので、容器基部２に対して収納筒体２１をねじ込み方向に回転させたときに、収納筒体２１を中皿２２に対して軸方向に相対移動させつつ相対回転させることができる。これにより、容器基部２に対して収納筒体２１をねじ込み方向に回転させたときに、薄肉部２３が軸方向に引き伸ばされつつ回転方向にねじ切られるようにして、より容易に薄肉部２３を破断させることができる。
【００５５】
中皿２２を収納筒体２１から分離させた後、さらに容器基部２に対して収納筒体２１をねじ込み方向に回転させることで、収納筒体２１から分離した中皿２２を収納筒体２１に対して先端側に向けて軸方向に相対移動させて、固形内容物２５を収納筒体２１から繰出して収納筒体２１の開口端から外部に繰り出して突出させることができる。そして、収納筒体２１の開口端から突出した固形内容物２５を塗布対象物に当接させること等により、固形内容物２５を塗布対象物に塗布することができる。
【００５６】
また、使用による固形内容物２５の減少等に応じて、収納筒体２１を容器基部２に対してねじ込み方向またはその逆方向に回転させることで、固形内容物２５の収納筒体２１の開口端から突出する量を調整することができる。
【００５７】
さらに、使用後には、収納筒体２１を容器基部２に対してねじ込み方向に回転させて固形内容物２５を収納筒体２１の内部に収納することができる。そして、容器基部２にキャップ４を装着することで、固形内容物２５を外部に露出させることなく繰出し容器１を持ち運ぶことができる。
【００５８】
なお、本実施の形態では、収納筒体２１の内径は、中皿２２が薄肉部２３により連結されていた連結部分よりも先端側において、当該連結部分よりも基端側の部分よりも若干大きくされている。これにより、収納筒体２１の内側において破断された薄肉部２３が収納筒体２１の内周面に過度に摺接することを抑制して、収納筒体２１から分離した中皿２２を収納筒体２１に対して滑らかに軸方向に相対移動させることができる。
【００５９】
図１０に示すように、容器基部２に対して収納筒体２１を、その基端側の端部が連結底壁部１３に当接するストロークエンドにまでねじ込むことで、中皿２２を収納筒体２１の開口端に位置させて全ての固形内容物２５を収納筒体２１から突出させることができる。
【００６０】
図１１に示すように、全ての固形内容物２５が使用された使用後の内容物収納部３は、雌ねじ１１ａと雄ねじ２１ａのねじ結合が解除されるまで、収納筒体２１を容器基部２に対してねじ込み方向とは反対方向に回転させることで、容器基部２から取り外すことができる。
【００６１】
中皿２２は収納筒体２１から分離しており、また、支持体１２にアンダーカット係合により保持されているが、収納筒体２１を容器基部２から取り外す際、収納筒体２１の内周面に設けられた係止部２１ｃが中皿２２の基端側を向く下面に係合することで、図１２に示すように、中皿２２を収納筒体２１の側に移行させて収納筒体２１とともに容器基部２から取り外すことができる。このように、収納筒体２１の内周面に係止部２１ｃを設けたことにより、収納筒体２１から分離された中皿２２を収納筒体２１に移行させて、収納筒体２１とともに容易に容器基部２から取り外すことができる。これにより、容器基部２に対する内容物収納部３の付け替え作業を容易にすることができる。
【００６２】
特に、本実施の形態では、収納筒体２１の内周面に、それぞれ板状に形成されて中皿２２の側に向けて傾斜した姿勢で支持体１２の小径部１２ｃの外周面に当接する複数の係止部２１ｃを周方向に等間隔に並べて設けた構成としたので、それぞれの係止部２１ｃにより、中皿２２を強固にかつ周方向に均等に支持することができる。これにより、より確実に中皿２２を収納筒体２１とともに容器基部２から取り外すことができる。
【００６３】
使用後の内容物収納部３を容器基部２から取り外した後には、図１３に示すように、新たな内容物収納部３をレフィル容器として容器基部２に装着することができる。新たな内容物収納部３は、中皿２２が収納筒体２１に薄肉部２３を介して連結されるとともに収納筒体２１の開口端にシール体２４が装着されて固形内容物２５が密封状態で収納されているものである。新たな内容物収納部３は、上記と同様に、容器基部２に設けられた雌ねじ１１ａに、内容物収納部３に設けられた雄ねじ２１ａをねじ結合させることで、容器基部２に着脱自在に装着される。
【００６４】
上記の通り、本実施の形態の繰出し容器１では、内容物収納部３を容器基部２に対して着脱自在としたので、容器基部２に対して内容物収納部３を容易に付け替えることができる。
【００６５】
したがって、例えば固形内容物２５を使い切った後、空となった内容物収納部３を容器基部２から取り外し、新たな内容物収納部３を容器基部２に取り付けて使用することができる。これにより、繰出し容器１を、容器基部２の継続使用が可能なレフィルタイプのものとして、資源の有効活用を図ることができる。また、内容物収納部３を新たなものに付け替えるだけで固形内容物２５を容器基部２にレフィルすることができるので、例えば使い捨ての充填用の蓋を収納筒体２１に装着して収納筒体２１に固形内容物２５を再度充填するなどの工程を不要として、より簡易に固形内容物２５を容器基部２にレフィルすることができる。
【００６６】
また、容器基部２の継続使用が可能となるので、容器基部２の加飾によりコストを掛けることができる。
【００６７】
さらに、本実施の形態の繰出し容器１では、内容物収納部３を容器基部２に対して着脱自在としたので、全ての固形内容物２５を使い切った使用後に限らず、一部の固形内容物２５が残っている使用途中においても、容器基部２から内容物収納部３を取り外し、別の内容物収納部３に付け替えて使用することもできる。例えば、それぞれ香りの異なる固形内容物２５を収納した複数種類の内容物収納部３を用意しておき、これら複数種類の内容物収納部３から、使用者が気分などに応じて選択した任意のものを容器基部２に取り付けて使用することが可能な構成とすることもできる。このように、１つの容器基部２に対して複数種類の香りの固形内容物２５を備えた内容物収納部３を付け替え可能な構成とすることで、低コストで複数種類の固形内容物２５を選択的に使用可能な構成とすることができる。
【００６８】
さらに、本実施の形態の繰出し容器１は、１つの容器基部２と、複数個の同一の内容物収納部３ないし複数個の互いに種類が相違する内容物収納部３とがセットとされた構成とすることもできる。このようなセット構成とすることで、上記効果をより容易に得ることができる。
【００６９】
さらに、本実施の形態の繰出し容器１では、内容物収納部３は、気密性を確保した状態で固形内容物２５を収納する構成となっているので、固形内容物２５の劣化を抑制して、内容物収納部３の長期保存が可能である。これにより、例えば、付け替え用の新たな内容物収納部３ないし種類の異なる内容物収納部３を複数個用意しておくようにしても、これらの内容物収納部３における固形内容物２５の劣化を抑制することができる。また、流通時等における固形内容物２５の劣化も抑制することができる。
【００７０】
さらに、本実施の形態の繰出し容器１では、ねじ結合部を、容器基部２の外筒体１１の内周面に設けられた雌ねじ１１ａと、収納筒体２１の外周面に設けられた雄ねじ２１ａとで構成するようにしたので、簡単な構成で内容物収納部３を容器基部２に対して着脱可能として、この繰出し容器１のコストを低減させることができる。
【００７１】
さらに、本実施の形態の繰出し容器１では、中皿２２を、支持体１２にアンダーカット係合により取り外し可能に係止させる構成としたので、収納筒体２１を容器基部２に対して相対回転させて固形内容物２５を収納筒体２１に対して繰り出し及び収納する動作をさせる際に、中皿２２が常に支持体１２に支持されるようにして、固形内容物２５の繰り出し及び収納の動作をより安定して行うことができる。
【００７２】
本発明は前記実施の形態に限定されるものではなく、その要旨を逸脱しない範囲で種々変更可能であることはいうまでもない。
【００７３】
例えば、前記実施の形態では、容器基部２の外筒体１１の内周面に雌ねじ１１ａを設け、収納筒体２１の外周面に雄ねじ２１ａを設けるようにしているが、容器基部２の支持体１２の大径部１２ａの外周面に雄ねじを設け、収納筒体２１の内周面に雌ねじを設けるようにしてもよい。
【００７４】
また、前記実施の形態では、収納筒体２１の内周面に複数の板状の係止部２１ｃを設けるようにしているが、係止部２１ｃは中皿２２に係止可能であれば、その形状や個数は種々変更可能である。また、係止部２１ｃを設けない構成としてもよい。
【００７５】
さらに、前記実施の形態では、中皿２２を支持体１２にアンダーカット係合により取り外し可能に保持させる構成としているが、支持体１２に単に当接するのみでアンダーカット係合により係止されない構成としてもよい。
【００７６】
さらに、前記実施の形態では、中皿２２と支持体１２との間にラチェット機構２６を設けるようにしているが、ラチェット機構２６を設けない構成としてもよい。
【符号の説明】
【００７７】
１    繰出し容器
２    容器基部
３    内容物収納部
４    キャップ
１１    外筒体
１１ａ  雌ねじ
１１ｂ  凸部
１２    支持体
１２ａ  大径部
１２ｂ  段差部
１２ｃ  小径部
１２ｄ  係止爪部
１２ｅ  ラチェット筒部
１２ｆ  係止突起
１３    連結底壁部
１３ａ  底面
１４    切欠き孔
２１    収納筒体
２１ａ  雄ねじ
２１ｂ  係合突起
２１ｃ  係止部
２１ｄ  溝部
２２    中皿
２２ａ  円筒状突起
２２ｂ  保持突起
２３    薄肉部
２４    シール体
２４ａ  摘み部
２５    固形内容物
２６    ラチェット機構
２６ａ  歯止め片
２６ｂ  歯部
３１    側壁部
３１ａ  凹部
３２    頂壁部
４０    治具
４１    基台
４２    ストッパー片
４３    支持柱部
Ｃ    中心軸
【図１】
2020178830.tif 000003
【図２】
2020178830.tif 000004
【図３】
2020178830.tif 000005
【図４】
2020178830.tif 000006
【図５】
2020178830.tif 000007
【図６】
2020178830.tif 000008
【図７】
2020178830.tif 000009
【図８】
2020178830.tif 000010
【図９】
2020178830.tif 000011
【図１０】
2020178830.tif 000012
【図１１】
2020178830.tif 000013
【図１２】
2020178830.tif 000014
【図１３】
2020178830.tif 000015